【手続補正書】
【提出日】平成24年2月15日(2012.2.15)
【手続補正１】
【補正対象書類名】明細書
【補正対象項目名】００１３
【補正方法】変更
【補正の内容】
【００１３】
図１、図２及び図３Ａ〜図３Ｃは、ボトルなどの容器のネック２に栓をするための栓装置１を示す。便利さの理由から、以下の記載において、ボトルが水平な表面の上に垂直に立っているときに、用語“頂”及び“上向き”は、本体３から見てネック２の逆側に本体から離れて延びる方向を参照し、したがって、その方向は、図１、図２及び図３Ａ〜図３Ｃの頂部に向かって延びる。用語“底”及び“下向き”は、反対の方向を参照する。同じ取り決めが図４Ａ〜図４Ｃ、図５Ａ〜図５Ｃ、図６、図７及び図８Ａ〜図８Ｃの説明のために使用される。
【手続補正２】
【補正対象書類名】明細書
【補正対象項目名】００３４
【補正方法】変更
【補正の内容】
【００３４】
蓋２０が初めて開封されたとき、スタッド４０’の面４１’は、ストランドの端３０’２が破断するまでストランド３０’に応力を印加する。図５Ｂに示されるように、破断された切欠き３１’のエッジ３１’Ａ，３１’Ｂは次いで、介装されているスタッド４０’により離間され、ストランドの主部３０’３は、ストランド端３０’１の変形によってスタッドを通過するために下向きに枢動するように拘束される。言い換えれば、図４Ｂと比較することによって図５Ｂから分かるように、ストランド主部３０’３は、ストランド３０のストランド部分３０Ａとほぼ同じように振舞う。
【手続補正３】
【補正対象書類名】明細書
【補正対象項目名】００３５
【補正方法】変更
【補正の内容】
【００３５】
同様に、図５Ｃに示されるように蓋２０がその封鎖位置に戻されたとき、ストランド３０’の主部３０’３は、前記主部がスタッド４０’の表面４３Ａに係止することによりストランド端３０’１の変形によって上向きに枢動させられる。
【手続補正４】
【補正対象書類名】特許請求の範囲
【補正対象項目名】全文
【補正方法】変更
【補正の内容】
【特許請求の範囲】
【請求項１】
容器ネック（２）に栓をするための栓装置（１；１００）であって、
略チューブ状であり、
ネックの周りに締められるのに適した
ベース（１０；１１０）と、
蓋（２０；１２０）であって、
略チューブ状であり、
蓋がベースの一部を覆うことによって漏れ止めのやり方でベースを閉鎖する封鎖位置と、流れがベースを通過することを可能にするために蓋がベースから離間させられる開封位置との間を、移動可能に支持され、
蓋がその開封位置に移動するためにその封鎖位置を離れたとき、ネックから離れるように移動される、
蓋と、
蓋がその封鎖位置からその開封位置に向かってすでに枢動されたか否かを視覚的に表示することに適した
不正開封防止手段（３０，４０；３０，４０’；３０’，４０’；１３０，１４０)と、
を具備する前記装置において、
不正開封防止手段が、
破断可能なストランド（３０；３０’；１３０）であって、
ストランドの２つの長手方向端（３０１，３０２；３０’１，３０’２；１３０１，１３０２）のうちの少なくとも一方が、蓋（２０）及びベース（１１０）のうちの一方である第１の部分（２１１；１１１１）に永続的に接続される前記少なくとも一方を有し、
破断する前に、前記第１の部分の周縁上を長手方向に延びる
ストランドと、
ベース（１０）及び蓋（１２０）のうちの他方である第２の部分（１４１，１２１１）に永続的に接続され、
前記第２の部分から外向きに突出し、
蓋がその封鎖位置からその開封位置に初めて移動されたときに、ストランドに沿って破断領域（３１，３１’，１３１）においてストランドを破断するまで少なくともストランドの主部（３０３，３０’３，１３０３）を押圧することと、さらに、蓋が次いでその封鎖位置に戻されたときに、前記破断領域のエッジ（３１Ａ，３１Ｂ；３１’Ａ，３１’Ｂ；１３１Ａ，１３１Ｂ）同士の間に介装されることとの両方に適した
スタッド（４０；４０’；１４０)と
を具備する
栓装置。
【請求項２】
ストランド（３０；１３０）の破断領域（３１；１３１）が、ストランドの主部（３０３；１３０３）にあり、
ストランドの２つの長手方向端（３０１，３０２；１３０１，１３０２）が次いで、第１の部分（２１１；１１１１）に永続的に接続され、これに対して、ストランドが破断された後に蓋がその封鎖位置に戻されたときに、スタッド（４０；４０’；１４０）が破断されたストランドの２つの異なる部分（３０Ａ，３０Ｂ；１３０Ａ，１３０Ｂ）同士の間に介装される、
請求項１に記載の装置。
【請求項３】
ストランド（３０’）の破断領域（３１’）が、ストランドの前記長手方向端のうちの一方（３０’２）にあり、
他方の長手方向端（３０’１）が次いで、第１の部分（２１１）に永続的に接続される、
請求項１に記載の装置。
【請求項４】
破断領域（３１；３１’；１３１)が、ストランドの残りの部分に対してさらに薄い、
請求項１〜３のいずれか１項に記載の装置。
【請求項５】
ストランド（３０；３０’；１３０）が破断する前かつ蓋（２０；１２０）が封鎖位置にある間に、第１の部分（２１１；１１１１）に関連する軸線（Ｙ−Ｙ；Ｘ−Ｘ）に沿って見ると、ストランドが、スタッド（４０；４０’；１４０）の係止面（４１；４１’；１４１）に面して位置する、
請求項１〜４のいずれか１項に記載の装置。
【請求項６】
スタッド（４０；１４０）の支持面（４１；１４１）が、ストランド（３０；１３０）が破断する前に前記ストランドを向く突端に成形され、
前記さらに薄い破断領域が、前記突端を収容するための切欠き（３１；１３１）によって構成される、
請求項４及び５に記載の装置。
【請求項７】
スタッド（４０’）の支持面（４１’）が、ほぼ平坦であり、
支持面は、ストランド（３０）の少なくとも主部（３０３）を覆う、
請求項５に記載の装置。
【請求項８】
第１の部分（２１１；１１１１）が、半径方向貫通窓（２５；１１９）を画定し、
半径方向貫通窓の複数の縁のうちの１つが、ストランド（３０；３０’；１３０）によって構成され、
蓋（２０；１２０）がその封鎖位置にあるときに、スタッド（４０；４０’；１４０）が半径方向貫通窓内に収容される、
請求項１〜７のいずれか１項に記載の装置。
【請求項９】
第２の部分（１４１，１２１１）に付随する軸線（Ｘ−Ｘ；Ｙ−Ｙ）に沿って見ると、スタッド（４０；４０’；１４０）が、ストランド（３０；３０’；１３０）が破断する前に、前記ストランドに面している側（４０２）から反対側（４０１）に移動すると減少する半径方向寸法を有する、
請求項１〜８のいずれか１項に記載の装置。
【請求項１０】
第２の部分（１４１；１２１１）の周囲方向における２つの互いに対向する側に、スタッド（４０；４０’；１４０）が、ストランド（３０；３０’；１３０）が破断する前の前記ストランドに向かって移動すると拡開するそれぞれの表面(４３Ａ，４３Ｂ；１４３Ａ，１４３Ｂ）を有する、
請求項１〜９のいずれか１項に記載の装置。
【請求項１１】
ストランド（３０；３０’；１３０）及びスタッド（４０；４０’；１４０）が、第１の部分（２１１；１１１１）及び第２の部分（１４１；１２１１）のそれぞれと一体である、
請求項１〜１０のいずれか１項に記載の装置。
【請求項１２】
ストランド（３０，３０’，１３０）が、蓋（２０）がその封鎖位置及びその開封位置の間の中間位置を取るときにスタッド（４０，４０’，１４０）によって破断させられることに適し、
ベース（１０）は、蓋が封鎖位置から前記中間位置に移動するときに、漏れ止めのやり方で蓋によって閉鎖され続ける、
請求項１〜１１のいずれか１項に記載の装置。
【請求項１３】
蓋（２０；１２０）が、ベースの中心軸線（Ｘ−Ｘ）の略周方向である軸線（Ｚ２０−Ｚ２０）回りに枢動するように、移動可能に支持されている、
請求項１〜１２のいずれか１項に記載の装置。
【請求項１４】
ストランド（３０；１３０）の破断領域（３１；１３１）が、ストランドの主部（３０３；１３０３）の中央にある、
請求項２及び請求項４〜１２のいずれか１項に記載の装置。